(57)【要約】      （修正有）【課題】カバーの開閉操作を確実かつ簡単に行えるだけでなく、材料毎の分別も行える安全かみそりを、簡単な構造によって提供する。【解決手段】柄２０の先端に刃体カートリッジ１０を保持する保持部２１を設けるとともに、この保持部２１の外面及びこれに連続する柄２０の外面にスライド面２２を形成し、このスライド面２２に接する第１案内面を挿通穴の内面に形成するとともに、挿通穴の第１案内面とは反対側になる内面に第２案内面を形成して、これら両案内面によってスライドカバー３０をスライド可能に保持し、柄２０の外面に案内溝または案内突起２３を形成するとともに、これらの案内溝または案内突起２３に係合する案内突起または案内溝３３をスライドカバー３０の挿通穴の内面に形成する。【選択図】図１
0003135418.tif 000002
【実用新案登録請求の範囲】
【請求項１】
刃体カートリッジを柄の先端に取り付けて、この刃体カートリッジの刃体を覆いながら挿通穴によって保持されるスライドカバーをスライド可能に設けた安全かみそりであって、
前記柄の先端に前記刃体カートリッジを保持する保持部を設けるとともに、この保持部の外面及びこれに連続する前記柄の外面にスライド面を形成し、
このスライド面に接する第１案内面を前記挿通穴の内面に形成するとともに、前記挿通穴の前記第１案内面とは反対側になる内面に第２案内面を形成して、これら両案内面及びによって前記スライドカバーをスライド可能に保持し、
さらに、前記柄の外面に案内溝または案内突起を形成するとともに、これらの案内溝または案内突起に係合する案内突起または案内溝を前記スライドカバーの前記挿通穴の内面に形成したことを特徴とするスライドカバーを有する安全かみそり。
【考案の詳細な説明】
【技術分野】
【０００１】
本考案は、安全かみそりに関し、特にスライドカバーを有する安全かみそりに関するものである。
【背景技術】
【０００２】
「安全かみそり」としては、種々なタイプのものがあるが、中でも「柄」が長いものは、柄の折り畳みが行えるか否かに拘わらず、非常に簡単な構成にできるから、所謂「使い捨て」のものとして便利なタイプのものである。この使い捨ての長柄安全かみそりを捨てる際には、金属製の刃体と、例えば合成樹脂製の柄部分とを分けて、所謂分別収集できるようにしておく必要もある。
【０００３】
また、安全かみそりといっても、刃体を剥き出しできるようにしないと使用できないから、使用しないときやバッグの中に入れる際には、刃体を覆えるようにしておけるとより安全となる。そこで、特許文献１にて提案されているような、「刃物用カバー」が案出された。
【０００４】
この特許文献１にて提案されている「刃物用カバー」は、「カバーを開閉する際に、開く操作を容易に行うことができる刃物用カバーを提供すること」を目的としてなされたもので、図６に示すように、「剃刀用カバー１１は、腹部に設けた蝶番１２により開閉可能とした基板部１３と、蓋部１４とから構成されている。前記基板部１３と前記蓋部１４とは少なくとも剃刀１５の刃部１６を覆うように構成されており、支持板部１８が剃刀１５の柄１７の前半部を支え得るように基板部１３を後方へ延出して形成されている。また、前記支持板部１８には柄１７の背部２０に臨む押圧部２１が形成されており、該押圧部２１には剃刀１５の柄１７の側面より側方へ突出した突部としての突条２２が形成されている」ものである。
【０００５】
しかしながら、この「刃物用カバー」の構造は非常に複雑であり、所謂使い捨ての安全かみそりには、コストの面でも適さない構造のものであると考えられる。
【特許文献１】特開２００５−４６１９１号公報、要約、図３
【考案の開示】
【考案が解決しようとする課題】
【０００６】
本考案は、刃体をカバーによって簡単に覆うことができて、安全かみそりを使用したい場合には、このカバーの覆い状態を簡単に解除できるようにするにはどうしたらよいか、について種々検討を重ねてきた結果、本考案を完成したのである。
【０００７】
すなわち、本考案の目的とするところは、カバーの開閉操作を確実かつ簡単に行えるだけでなく、材料毎の分別も行える安全かみそりを、簡単な構造によって提供することにある。
【課題を解決するための手段】
【０００８】
以上の課題を解決するために、本考案の採った手段は、後述する最良形態の説明中で使用する符号を付して説明すると、
「刃体カートリッジ１０を柄２０の先端に取り付けて、この刃体カートリッジ１０の刃体１１を覆いながら挿通穴３０ａによって保持されるスライドカバー３０をスライド可能に設けた安全かみそり１００であって、
柄２０の先端に刃体カートリッジ１０を保持する保持部２１を設けるとともに、この保持部２１の外面及びこれに連続する柄２０の外面にスライド面２２を形成し、
このスライド面２２に接する第１案内面３１を挿通穴３０ａの内面に形成するとともに、挿通穴３０ａの第１案内面３１とは反対側になる内面に第２案内面３２を形成して、これら両案内面３１及び３２によってスライドカバー３０をスライド可能に保持し、
さらに、柄２０の外面に案内溝または案内突起２３を形成するとともに、これらの案内溝または案内突起２３に係合する案内突起または案内溝３３をスライドカバー３０の挿通穴３０ａの内面に形成したことを特徴とするスライドカバー３０を有する安全かみそり１００」
である。
【０００９】
すなわち、この安全かみそり１００は、図１にも示すように、刃体カートリッジ１０を柄２０の先端に取り付けて、この刃体カートリッジ１０の刃体１１を覆うスライドカバー３０をスライド可能に設けたものである。この場合、スライドカバー３０には、図３にも示すように、挿通穴３０ａが形成してあって、この挿通穴３０ａに柄２０を挿通することにより、当該スライドカバー３０は柄２０に対してスライド可能になっているのである。
【００１０】
刃体カートリッジ１０としては、柄２０に対して固定されたものであってもよいが、後述する最良形態のように、「カートリッジ化」して、交換可能にしたものであってもよい。最良形態に係る刃体１１は、図５に示すように、一対の刃カバー１２の間に刃体１１を挟み込んで固定したものであり、一体化された刃カバー１２の上端には次に述べる柄２０の保持部２１内に挿通される案内レール１３が形成してある。
【００１１】
柄２０は、図１及び図２の（ｂ）に示すように、その先端に設けた刃体カートリッジ１０を保持するための保持部２１を有するもので、この保持部２１の外面及びこれに連続する柄２０の外面にスライド面２２が形成してある。なお、後述する最良形態に係る柄２０は、直線状の一本物としてあるが、その適宜部分で折り畳み自在に形成して実施してもよいものである。
【００１２】
さて、スライドカバー３０であるが、このスライドカバー３０には、図３にも示すように、上記柄２０が挿通されるべき挿通穴３０ａが形成してあり、この挿通穴３０ａの図示上側が第１案内面３１であり、下側が第２案内面３２である。換言すれば、スライドカバー３０の挿通穴３０ａの上側内面に形成した第１案内面３１には、上記柄２０側のスライド面２２が接することになるのであり、この第１案内面３１とは反対側になる挿通穴３０ａの内面に形成した第２案内面３２は、柄２０の図示下側面が接することになるものである。これら両案内面３１及び３２によって、スライドカバー３０は柄２０に対してスライド可能に保持されることになるのである。
【００１３】
そして、この安全かみそり１００にあっては、図１等に示すように、その柄２０の外面に案内溝または案内突起２３が形成してあり、一方、これらの案内溝または案内突起２３に係合する案内突起または案内溝３３がスライドカバー３０の挿通穴３０ａの内面に形成してある。勿論、これらの案内溝または案内突起２３及び案内突起または案内溝３３については、両者が係合し合うものであればよいから、一方が「溝」であれば他方が「突起」となることはいうまでもない。
【００１４】
これらの案内溝または案内突起２３及び案内突起または案内溝３３は、両者が係合し合う状態になっていれば、スライドカバー３０を柄２０に対してスライド（移動）させたときその移動位置を案内するものであり、第１案内面３１とスライド面２２との接触、及び第２案内面３２と柄２０の底面との接触とも相まって、柄２０に対するスライドカバー３０のスライド移動を安定させることになり、スライドカバー３０の柄２０からの不用意な外れも防止している。
【００１５】
以上の結果、この安全かみそり１００においては、図１の（ａ）に示すように、スライドカバー３０を保持部２１の先端まで移動させたときには、このスライドカバー３０によって刃体カートリッジ１０の全体を包み込むことになって、刃体カートリッジ１０の刃体１１が大きく露出するのを防止して、危険な状態となることを阻止しているのである。一方、図１の（ｂ）に示すように、このスライドカバー３０を柄２０の中程までスライド移動させたときには、このスライドカバー３０によって覆っていた刃体カートリッジ１０を完全に露出されることはいうまでもない。このスライドカバー３０のスライド移動は安定した状態で行えることは前述した通りである。
【００１６】
図１の（ｂ）に示すように、刃体カートリッジ１０が露出すれば、その刃体１１によって、髭剃りは勿論、眉剃りや産毛剃りが行えるのであり、この使用の間、スライドカバー３０はその挿通穴３０ａが第１案内面３１及び第２案内面３２と接しているため柄２０に対して移動することがないから、当該安全かみそり１００の使用中に支障をきたすことはない。勿論、このような状態で刃体カートリッジ１０を洗浄することも問題なく行える。
【００１７】
次に、当該安全かみそり１００の使用が終われば、今度は図１の（ａ）に示したように、スライドカバー３０を柄２０の先端にスライドさせれば、刃体カートリッジ１０をスライドカバー３０によって覆うことができる。なお、後述する最良形態では、図２に示すように、スライドカバー３０にクシ歯３４が形成してあって、これらのクシ歯３４の間から刃体１１の小部分が露出するようにしてある。つまり、スライドカバー３０自体がクシ歯３４を有しているから、当該安全かみそり１００は、スライドカバー３０を閉じた状態で、例えば「眉毛の梳き剃り」に使用することができるのである。
【００１８】
そして、この安全かみそり１００では、上述したように、柄２０から刃体カートリッジ１０及びスライドカバー３０を簡単に外せるようにもなっているし、刃体カートリッジ１０についても、保持部２１と刃体１１とを簡単に分離できるものとなっているから、刃体１１以外を合成樹脂によって形成すれば、金属である刃体１１とそのたの合成樹脂部分との分別も簡単に行えるものとなっているのである。
【００１９】
従って、この安全かみそり１００は、刃体１１をスライドカバー３０によって簡単に覆うことができて、安全かみそりを使用したい場合には、このスライドカバー３０の覆い状態を簡単に解除できるものとなっているのである。
【考案の効果】
【００２０】
以上、説明した通り、本考案においては、
「刃体カートリッジ１０を柄２０の先端に取り付けて、この刃体カートリッジ１０の刃体１１を覆いながら挿通穴３０ａによって保持されるスライドカバー３０をスライド可能に設けた安全かみそり１００であって、
柄２０の先端に刃体カートリッジ１０を保持する保持部２１を設けるとともに、この保持部２１の外面及びこれに連続する柄２０の外面にスライド面２２を形成し、
このスライド面２２に接する第１案内面３１を挿通穴３０ａの内面に形成するとともに、挿通穴３０ａの第１案内面３１とは反対側になる内面に第２案内面３２を形成して、これら両案内面３１及び３２によってスライドカバー３０をスライド可能に保持し、
さらに、柄２０の外面に案内溝または案内突起２３を形成するとともに、これらの案内溝または案内突起２３に係合する案内突起または案内溝３３をスライドカバー３０の挿通穴３０ａの内面に形成したこと」
にその構成上の主たる特徴があり、これにより、スライドカバー３０の開閉操作を確実かつ簡単に行えるだけでなく、材料毎の分別も行える安全かみそり１００を、簡単な構造によって提供することができるのである。
【考案を実施するための最良の形態】
【００２１】
次に、上記のように構成した本考案を、図面に示した最良の形態である安全かみそり１００について説明すると、図１には、本考案に係る安全かみそり１００の側面図が示してあり、この安全かみそり１００は、軸型の柄２０の先端部に刃体カートリッジ１０を取り付けて、この刃体カートリッジ１０をスライドカバー３０によって覆うようにしたものである。そして、この図１の（ａ）では、スライドカバー３０によって刃体カートリッジ１０を覆い、図１の（ｂ）では、この覆いであるスライドカバー３０を柄２０の中程までスライドさせて、刃体カートリッジ１０の刃体１１全体を露出させた状態が示してある。
【００２２】
本最良形態に係る刃体カートリッジ１０は、図５に示したように、一枚の刃体１１の両側に刃カバー１２をそれぞれ配置して、一体的に構成されるものである。つまり、この最良形態の刃体カートリッジ１０では、一方の刃カバー１２に形成してある突起を、刃体１１に形成してある取付穴内に挿通して、他方の刃カバー１２に形成してある嵌合穴内に嵌合して一体化したものである。なお、これら２枚の刃カバー１２は、ヒンジ部によって開閉自在にしておいて、これらの間に刃体１１を挿入した後にこれを挟み込んで一体化するようにしてもよい。
【００２３】
この刃体カートリッジ１０を構成している各刃カバー１２の上縁には、図５及び図４に示したように、案内レール１３が形成してあり、これらの案内レール１３を案内部として、当該刃体カートリッジ１０は、次に述べる柄２０側の保持部２１内に差し込まれるものである。
【００２４】
そして、この刃体カートリッジ１０の案内レール１３の外端（外に出る側の端）には、図５に示したように、係止突起１４が形成してある。この係止突起１４は、当該刃体カートリッジ１０の保持部２１内への挿入が完了したとき、この保持部２１の外端に当接して、当該刃体カートリッジ１０全体の位置決めを行うものである。
【００２５】
この刃体カートリッジ１０において、刃体１１は当然金属製のものとしてあるが、その他の部分、つまり各刃カバー１２は合成樹脂を材料としたものである。そして、この刃体１１は、その両刃カバー１２に対する嵌合状態を解けば、各刃カバー１２と完全かつ簡単に分別し得るものとしてある。
【００２６】
本最良形態における柄２０は、図１に示したように、直線状の一本の「長柄」としたものであり、合成樹脂を材料として一体成形したものである。勿論、この柄２０は、「長柄」状のものだけでなく、中程で折り畳み可能なものとして実施してもよい。
【００２７】
この柄２０の先端部には、図２にて拡大して示したように、保持部２１が一体的に形成してあり、この保持部２１の図示下側には、図示はしていないが上記刃体カートリッジ１０側の案内レール１３が係合して案内される条溝が形成してある。また、この保持部２１の先端部には、図２の（ｂ）にも示したように、上記刃体カートリッジ１０側の係止突起１４が係合される係合穴が形成してあって、この係合穴と係止突起１４とが係合することによって、当該保持部２１に対する刃体カートリッジ１０の位置決めがしっかりとなされるのである。
【００２８】
また、この柄２０と保持部２１との、図１に示した上面は、滑らかに連続するスライド面２２となっており、後述するスライドカバー３０の案内を円滑に行えるようにしてある。このスライド面２２の断面形状は、後述するスライドカバー３０に形成してある挿通穴３０ａの断面形状と同じになるようにしてある。
【００２９】
さらに、この柄２０の正面側側面には、図１及び図２に示したように、案内溝または案内突起２３が形成してあり、この案内溝または案内突起２３は上記スライド面２２と平行になるようにしてある。この案内溝または案内突起２３は、後述するスライドカバー３０側の案内突起または案内溝３３が係合することになるものであり、スライドカバー３０を案内するものである。
【００３０】
本最良形態では、上記柄２０に形成した案内溝または案内突起２３の内側端部（図２の（ａ）では図示左端）及び外側端部（図２の（ｂ）では図示右端）には、落ち込み穴２３ａがそれぞれ形成してある。これらの落ち込み穴２３ａ内には、後述するスライドカバー３０が図示左端または右端にまでスライドされたとき、このスライドカバー３０に形成してある案内突起または案内溝３３が落ち込んで係合するものであり、スライドカバー３０の所謂位置決めストッパとしての役割を果たすものである。
【００３１】
勿論、この落ち込み穴２３ａは、スライドカバー３０側の案内突起または案内溝３３が「溝」である場合には、「突起」となることは言うまでもない。このような落ち込み穴２３ａを案内溝または案内突起２３の内側端部（図２の（ａ）では図示左端）に形成した場合には、この落ち込み穴２３ａを、スライドカバー３０を開放したときの位置決めストッパとすることができて、当該安全かみそり１００の使用時にスライドカバー３０が閉じてしまうことを防止することができる。また、案内溝または案内突起２３の外側端部（図２の（ｂ）では図示右端）に形成した落ち込み穴２３ａは、閉じたスライドカバー３０が不用意に開放されないようにするストッパとすることができるのである。
【００３２】
さて、スライドカバー３０は、図３にも示したように、柄２０、及びその保持部２１に取り付けた刃体カートリッジ１０を挿通することができる程度の形状と大きさを有する挿通穴３０ａを有している略筒状のものであり、このスライドカバー３０の正面側には、図１及び図２に示したように、刃体カートリッジ１０の刃体１１の一部を多数露出させるためのクシ歯３４が一体的に形成してある。また、このスライドカバー３０は合成樹脂を材料として一体成形したものである。
【００３３】
このスライドカバー３０は、その挿通穴３０ａに、図３にも示したように、刃体カートリッジ１０を取り付けた保持部２１及び柄２０が挿通されるものであり、これにより、柄２０に対してスライド可能に取り付けられるものである。このスライドカバー３０の挿通穴３０ａの上下各内面には第１案内面３１及び第２案内面３２がそれぞれ形成してあり、当該スライドカバー３０を柄２０にスライド可能に取り付けた場合、これらの第１案内面３１及び第２案内面３２には、柄２０及び保持部２１の上面に形成したスライド面２２及び柄２０の底面が、図３にも示したように、当接することになる。これにより、スライドカバー３０は、柄２０に対して位置ズレを生ずることなくスライドされることになる。
【００３４】
また、各クシ歯３４間には隙間が形成してあり、スライドカバー３０を柄２０の先端部分に移動させたとき、つまり、このスライドカバー３０によって刃体カートリッジ１０を覆ったとき、図１及び図２の（ａ）にて示したように、これらのクシ歯３４間になる各隙間から、刃体カートリッジ１０の刃体１１を部分的に露出させるものである。これらクシ歯３４の隙間は、手指が通るような大きさではないから刃体カートリッジ１０の安全性を確保している。それだけでなく、これらクシ歯３４の隙間は、眉毛や髪の毛が通せるような大きさのものであるから、これらの隙間内に眉毛等を通すようにしてこの安全かみそり１００を使用すれば、眉毛や髪の毛の「梳き刈り」や「梳き剃り」が行えるものである。
【００３５】
さて、スライドカバー３０この安全かみそり１００を組み立ては、次のようにすれば簡単に行えるのであり、これによって当該安全かみそり１００の製造も簡単に行えるようになっている。すなわち、まず、スライドカバー３０側の案内突起または案内溝３３が柄２０側の案内溝または案内突起２３に係合するようにしながら、スライドカバー３０を柄２０及び保持部２１に挿通する。そして、案内突起または案内溝３３側の突起が案内溝または案内突起２３側の落ち込み穴２３ａ内に完全に係合するようにしながら、図１の（ｂ）に示したように、このスライドカバー３０が柄２０の中程になるまでスライドさせて、柄２０の保持部２１をスライドカバー３０から完全に露出した状態にしておく。
【００３６】
このスライドカバー３０の挿通作業時において、案内溝または案内突起２３または案内突起または案内溝３３、あるいは落ち込み穴２３ａが挿通の邪魔になって少し固いかもしれないが、少なくとも案内溝または案内突起２３と案内突起または案内溝３３とが係合することなれば、その後は円滑に行えるから、それほど問題にはならない。なお、これらの案内溝または案内突起２３及び案内突起または案内溝３３は細いものであるし、柄２０やスライドカバー３０は合成樹脂によって形成したのであるから、人の力程度の挿入力で、挿入時の固さは簡単に解消される。特に、スライドカバー３０を軟質合成樹脂（例えば合成ゴム）によって形成しておけば、当該スライドカバー３０の柄２０に対する嵌合やスライド操作を容易に行え、しかも、スライドカバー３０の指での操作を安全におこなえるから、より一層効果的になる。
【００３７】
次に、図５に示したようにして組立た刃体カートリッジ１０を、その各案内レール１３を利用して、図４に示したように、柄２０の保持部２１に係合させてスライドさせ、当該刃体カートリッジ１０の内端部側を柄２０の先端穴に挿入する。この作業は、当該刃体カートリッジ１０が所謂「替え刃」である場合に、使用者が行う作業でもあり、簡単に行えるものとなっている。いずれにしても、これによって刃体カートリッジ１０の柄２０に対する固定が完了するから、スライドカバー３０を柄２０の先にスライドさせれば完成である。
【産業上の利用可能性】
【００３８】
この安全かみそり１００は、上記のように通常の使用は勿論のこと、「梳き刈り」や「梳き剃り」が行えるものであることは言うまでもないが、全体構造が「分別作業」がし易いものとなっているため、分別収集を簡単にできて、清掃作業や資源回収作業を簡単にしている。
【００３９】
つまり、この安全かみそり１００は、リサイクルあるいは資源利用にも役立つものとなっているのである。
【図面の簡単な説明】
【００４０】
【図１】本考案に係る安全かみそりを示すもので、（ａ）はスライドカバーを閉じたときの正面図、（ｂ）はスライドカバーを開放したときの正面図である。
【図２】同安全かみそりを拡大して示すもので、（ａ）はスライドカバーを閉じたときの拡大部分正面図、（ｂ）はスライドカバーを開放したときの拡大部分正面図である。
【図３】図２の（ａ）中の１−１線に沿って見た拡大縦断面図である。
【図４】柄の先端に刃体カートリッジを固定している様子を示す分解斜視図である。
【図５】安全かみそりを構成する刃体カートリッジを形成している様子を示す分解斜視図である。
【図６】従来技術を示すもので、（ａ）は剃刀用カバーに剃刀を収納した状態を示す正面図、（ｂ）は同図（ａ）の３ｂ−３ｂ線における断面図、（ｃ）は同図（ａ）の３ｃ−３ｃ線における断面図である。
【符号の説明】
【００４１】
１００    安全かみそり
１０    刃体カートリッジ
１１    刃体
１２    刃カバー
１３    案内レール
１４    係止突起
２０    柄
２１    保持部
２２    スライド面
２３    案内溝または案内突起
２３ａ  落ち込み穴
３０    スライドカバー
３０ａ  挿通穴
３１    第１案内面
３２    第２案内面
３３    案内突起または案内溝
３４    クシ歯
【図１】
0003135418.tif 000003
【図２】
0003135418.tif 000004
【図３】
0003135418.tif 000005
【図４】
0003135418.tif 000006
【図５】
0003135418.tif 000007
【図６】
0003135418.tif 000008